(57)【要約】【課題】  蓄積した画像情報を外部記憶装置に確実に転送することができる画像形成装置を提供する。【解決手段】  蓄積した画像情報を外部記憶装置７２に転送する機能を有する画像形成装置において、外部記憶装置に対する画像情報の転送が失敗した場合（Ｓ３でＮ）、他の外部記憶装置が接続されているか判断し（Ｓ６）、接続されている場合、その外部記憶装置に転送に失敗した画像情報を転送するようにした（Ｓ９、Ｓ１０）。【選択図】  図５
2007036561.tif 000002
【特許請求の範囲】
【請求項１】
蓄積した画像情報を外部記憶装置に転送する機能を有する画像形成装置において、前記外部記憶装置に対する画像情報の転送が失敗した場合に、他の外部記憶装置が接続されているか判断し、接続されている場合は前記他の外部記憶装置に転送に失敗した画像情報を転送する制御を行う制御手段を備えたことを特徴とする画像形成装置。
【請求項２】
請求項１に記載の画像形成装置において、表示手段をさらに備え、前記制御手段は、転送失敗時に前記他の外部記憶装置が存在しない場合は、前記表示手段に転送失敗した旨と新規に外部記憶装置の接続要求を促す旨を表示させるように制御することを特徴とする画像形成装置。
【請求項３】
請求項２に記載の画像形成装置において、前記制御手段は、新規に外部記憶装置を接続した場合は、前記表示手段に転送に失敗した画像情報を新規に接続した外部記憶装置に転送する旨を表示させるように制御することを特徴とする画像形成装置。
【請求項４】
蓄積した画像情報を外部記憶装置に転送する機能を有する画像形成装置において、表示手段と、前記外部記憶装置に画像情報を転送する際、転送先の外部記憶装置が故障している場合には、前記表示手段に画像情報を転送できない旨、及び前記外部記憶装置の交換を促す旨を表示させる制御を行う制御手段を備えたことを特徴とする画像形成装置。
【請求項５】
請求項４に記載の画像形成装置において、前記制御手段は、複数の外部記憶装置が接続されている状態で、画像情報の転送先の外部記憶装置が故障している場合、正常な外部記憶装置が接続されているか判断し、正常な外部記憶装置が接続されていれば、その外部記憶装置に画像情報を転送する制御を行うことを特徴とする画像形成装置。
【請求項６】
蓄積した画像情報を外部記憶装置に転送する機能を有する画像形成装置の制御方法において、前記外部記憶装置に対する画像情報の転送が失敗した場合に、他の外部記憶装置が接続されているか判断し、接続されていると判断した場合には、前記他の外部記憶装置に転送に失敗した画像情報を転送することを特徴とする画像形成装置の制御方法。
【請求項７】
請求項６に記載の画像形成装置の制御方法において、転送失敗時に他の外部記憶装置が存在しない場合は、表示手段に転送が失敗した旨と新規に外部記憶装置の接続要求を促す旨を表示させるようにしたことを特徴とする画像形成装置の制御方法。
【請求項８】
請求項７に記載の画像形成装置の制御方法において、新規に外部記憶装置を接続した場合、前記表示手段に転送に失敗した画像情報を新規に接続した外部記憶装置に転送する旨を表示させるようにしたことを特徴とする画像形成装置の制御方法。
【請求項９】
蓄積した画像情報を外部記憶装置に転送する機能を有する画像形成装置の制御方法において、外部記憶装置に画像情報を転送する際、転送先の外部記憶装置が故障している場合には、表示手段に画像情報を転送できない旨、及び外部記憶装置の交換を促す旨を表示させることを特徴とする画像形成装置の制御方法。
【請求項１０】
請求項９に記載の画像形成装置の制御方法において、複数の外部記憶装置が接続されている状態で、画像情報の転送先の外部記憶装置が故障している場合、正常な外部記憶装置が接続されているか判断し、正常な外部記憶装置が接続されていればその外部記憶装置に画像情報を転送することを特徴とする画像形成装置の制御方法。
【請求項１１】
請求項６乃至請求項１０の何れか１項に記載の画像形成装置の制御方法を実行するためのコンピュータ読み取り可能なプログラム。
【請求項１２】
請求項１１記載のプログラムが記録された記録媒体。
【発明の詳細な説明】
【技術分野】
【０００１】
本発明は、画像形成装置及びその制御方法に関する。
【背景技術】
【０００２】
最近の画像形成装置は、読み取られた画像情報を蓄積し、蓄積した画像情報を操作部より選択して外部記憶装置に転送する機能を有している。これに関連して、例えば特許文献１には、画像情報を外部記憶装置に転送する際、転送不可の場合、算出したオーバーファイル数、容量及び転送先外部記憶装置の交換メッセージを表示する技術が開示されている。
【特許文献１】特開２００２−４１３３７公報
【発明の開示】
【発明が解決しようとする課題】
【０００３】
しかしながら、上記特許文献１記載の技術では、蓄積された画像情報を転送する際に、１画像情報毎のチェック動作において、転送不可である場合は、その画像情報をスキップして、残りの未転送画像情報のチェックを行うようにし、転送に失敗したファイル数、及びＣＤの交換メッセージを表示するが、ユーザーが新たに外部記憶装置を交換しなければ、失敗した画像情報を転送することができない。
本発明は、蓄積した画像情報を外部記憶装置に確実に転送することができる画像形成装置を提供することを目的とする。
【課題を解決するための手段】
【０００４】
上記目的を達成するために、請求項１記載の発明は、蓄積した画像情報を外部記憶装置に転送する機能を有する画像形成装置において、前記外部記憶装置に対する画像情報の転送が失敗した場合に、他の外部記憶装置が接続されているか判断し、接続されている場合は前記他の外部記憶装置に転送に失敗した画像情報を転送する制御を行う制御手段を備えたことを特徴とする。
請求項２記載の発明は、請求項１に記載の画像形成装置において、表示手段をさらに備え、前記制御手段は、転送失敗時に前記他の外部記憶装置が存在しない場合は、前記表示手段に転送失敗した旨と新規に外部記憶装置の接続要求を促す旨を表示させるように制御することを特徴とする。
請求項３記載の発明は、請求項２に記載の画像形成装置において、前記制御手段は、新規に外部記憶装置を接続した場合は、前記表示手段に転送に失敗した画像情報を新規に接続した外部記憶装置に転送する旨を表示させるように制御することを特徴とする。
請求項４記載の発明は、蓄積した画像情報を外部記憶装置に転送する機能を有する画像形成装置において、表示手段と、前記外部記憶装置に画像情報を転送する際、転送先の外部記憶装置が故障している場合には、前記表示手段に画像情報を転送できない旨、及び前記外部記憶装置の交換を促す旨を表示させる制御を行う制御手段を備えたことを特徴とする。
【０００５】
請求項５記載の発明は、請求項４に記載の画像形成装置において、前記制御手段は、複数の外部記憶装置が接続されている状態で、画像情報の転送先の外部記憶装置が故障している場合、正常な外部記憶装置が接続されているか判断し、正常な外部記憶装置が接続されていれば、その外部記憶装置に画像情報を転送する制御を行うことを特徴とする。
請求項６記載の発明は、蓄積した画像情報を外部記憶装置に転送する機能を有する画像形成装置の制御方法において、前記外部記憶装置に対する画像情報の転送が失敗した場合に、他の外部記憶装置が接続されているか判断し、接続されていると判断した場合には、前記他の外部記憶装置に転送に失敗した画像情報を転送することを特徴とする。
請求項７記載の発明は、請求項６に記載の画像形成装置の制御方法において、転送失敗時に他の外部記憶装置が存在しない場合は、表示手段に転送が失敗した旨と新規に外部記憶装置の接続要求を促す旨を表示させるようにしたことを特徴とする。
請求項８記載の発明は、請求項７に記載の画像形成装置の制御方法において、新規に外部記憶装置を接続した場合、前記表示手段に転送に失敗した画像情報を新規に接続した外部記憶装置に転送する旨を表示させるようにしたことを特徴とする。
請求項９記載の発明は、蓄積した画像情報を外部記憶装置に転送する機能を有する画像形成装置の制御方法において、外部記憶装置に画像情報を転送する際、転送先の外部記憶装置が故障している場合には、表示手段に画像情報を転送できない旨、及び外部記憶装置の交換を促す旨を表示させることを特徴とする。
請求項１０記載の発明は、請求項９に記載の画像形成装置の制御方法において、複数の外部記憶装置が接続されている状態で、画像情報の転送先の外部記憶装置が故障している場合、正常な外部記憶装置が接続されているか判断し、正常な外部記憶装置が接続されていればその外部記憶装置に画像情報を転送することを特徴とする。
請求項１１記載の発明は請求項６乃至請求項１０の何れか１項に記載の画像形成装置の制御方法を実行するためのコンピュータ読み取り可能なプログラムを特徴とする。
請求項１２記載の発明は、請求項１１記載のプログラムが記録された記録媒体である。
【発明の効果】
【０００６】
本発明によれば、外部記憶装置に対する画像情報の転送が失敗した場合に、他の外部記憶装置が接続されているか判断し、接続されていると判断した場合には、前記他の外部記憶装置に転送に失敗した画像情報を転送することで、蓄積した画像情報を外部記憶装置に確実に転送することができる。
また、外部記憶装置に画像情報を転送する際、転送先の外部記憶装置が故障している場合には、表示手段に画像情報を転送できない旨、及び外部記憶装置の交換を促す旨を表示させることで、蓄積した画像情報を外部記憶装置に転送出来なかったことを確実に知らせることができる。
【発明を実施するための最良の形態】
【０００７】
以下、本発明の実施形態を図面に従って説明する。
図１は本発明の実施形態に係る画像形成装置の機能ブロック図、図２はメカ構成図である。また図３は図１に示す画像記憶手段の機能ブロック図、図４は図１に示す操作部のレイアウト図である。
図１に示す画像形成装置は、主に読み取り手段２１、印刷手段２２、画像記憶手段２３、操作表示制御手段２４、これら手段を制御する制御手段であるメインコントローラ２０により構成される。操作表示制御手段２４、液晶ディスプレイ３１、キー群３２〜３５で表示手段としても機能する操作部３０を構成する。
読み取り手段２１は、図２に示す自動原稿送り装置（ＡＤＦ）１、原稿台２、読み取りユニット４で構成されており、図４に示す操作部３０上のプリントキー３４が押下されると、メインコントローラ２０より読み取り命令を受けた読み取り手段２１は、ＡＤＦ１に戴置された原稿をＡＤＦ１より読み取りユニット４のコンタクトガラス３上に給送し、読み取りユニット４内のＣＣＤイメージセンサ５等により、画像情報を読み取って電気信号に変換し、読み取りが終了した原稿をＡＤＦ１上に排出する。さらに原稿がＡＤＦ１上に存在している場合は、前原稿と同様にコンタクトガラス３上に給送され読み取られる。
メインコントローラ２０は、読み取り手段２１に対して読み取られた原稿画像データを電気信号として画像記憶手段２３に送出するよう指示する。
【０００８】
図３に示すように、画像記憶手段２３は、読み取り手段２１から受信した電気信号をデジタル信号に変換するＡ／Ｄコンバータ６１、デジタル信号に対する画像処理（シェーディング補正、ＭＴＦ補正、γ補正等）を行う画像処理回路６２、画像データを指定された倍率に拡大／縮小する変倍処理回路６３、１ページ分の画像データを記憶する画像メモリ６４、画像データを長期に渡り保持するためのＨＤ６５、画像メモリ６４へのデータの書き込み読み出し、ＨＤ６５への書き込み、読み出し、印刷手段２２への画像データの送出、メインコントローラ２０へのデータの送出を制御するメモリコントローラ６６、入力された画像の流れやＨＤ６５もしくは画像メモリ６４上データの送出先をメモリコントローラ６６に指示するＣＰＵ６７、プログラムやデータを格納するＲＯＭ６８、ＲＡＭ６９、ＮＶ−ＲＡＭ７０、外部の例えばパーソナルコンピュータ等のデータ処理装置から入力したデータを受信するＩ／Ｏポート７１から構成される。また外部記憶装置７２がメモリコントローラ６６と接続されている。
【０００９】
次に図２に戻り印刷手段２２を説明する。
印刷手段２２は、第１トレイ６、第２トレイ７、第３トレイ８、第１給紙ユニット装置９、第２給紙ユニット１０、第３給紙ユニット１１、縦搬送ユニット１２、書き込みユニット１３、現像ユニット１４、感光体１５、搬送ベルト１６、定着ユニット１７、排紙ユニット１８、フィニッシャ１００により構成されている。
図１に示す読み取り手段２１にて読み取られた原稿画像データは、画像記憶手段２３、メインコントローラ２０を経由して、印刷手段２２に送出され、図２に示す書き込みユニット１３からのレーザー光によって感光体１５に書き込まれ、現像ユニット１４を通過することによって感光体１５上にトナー像が形成される。
第１トレイ６、もしくは、第２トレイ７、第３トレイ８のいずれか一つから給紙された転写紙は、縦搬送ユニット１２を経由し、感光体１５の回転と等速で搬送ベルト１６によって搬送されながら、感光体１５上のトナー像を転写される。その後、転写紙は、定着ユニット１７を通過することにより、トナー像を紙面に定着させ、排紙ユニット１８によって後処理装置のフィニシャ１００に排出される。
次に図４を用いて操作部３０を説明する。操作部３０は、操作表示制御手段２４の他、液晶ディスプレイ３１、テンキー３２、クリアストップキー３３、プリントキー３４、予熱キー３５、リセットキー３６、初期設定キー３７で構成されており、これらキー押下が発生すると、操作表示制御手段２４からメインコントローラ２０へキー押下が発生した旨が通知される。
ここで、テンキー３２はコピーの部数の入力に用いられる。ストップキー３３はコピー動作を中断するのに用いる。プリントキー３４はコピー動作の実行開始を行うのに用いる。予熱キー３５は定着部を予熱モードにするときに使用される。初期設定キー３７は機器の初期状態を設定する画面に移ることができる。
【００１０】
図５は本発明の画像形成装置における第１の制御例を示すフローチャートである。操作部３０より画像転送指示を受信し（Ｓ１）、画像転送を選択した画像情報を転送開始する（Ｓ２）。書き込み正常かを判定し（Ｓ３）、正常ならば、全対象画像情報が終了したかを判定し（Ｓ４）、全対象画像情報を転送するまで処理を繰り返す。対象の全画像情報が転送終了したならば、終了した旨を操作部３０に表示する（Ｓ５）。
書き込みに失敗した外部記憶装置７２以外に外部記憶装置７２が接続されていない場合（Ｓ６でＮ）、画像情報の転送に失敗した旨を操作部３０に表示し（Ｓ７）、新規に外部記憶装置７２を接続する旨を操作部３０に表示する（Ｓ８）。他に外部記憶装置７２が接続されていれば（Ｓ６でＹ）、失敗した画像情報以降、全対象画像情報をその外部記憶装置７２に転送する（Ｓ９、Ｓ１０）。
図６は本発明の画像形成装置における第２の制御例を示すフローチャートである。新規に外部記憶装置接続を認識し（Ｓ１）、前回に画像情報転送に失敗しているかを判定し（Ｓ２）、失敗している場合には、操作部３０に前回失敗した以降の画像情報を転送する旨を表示する（Ｓ３）。転送指示を受信した場合（Ｓ３でＹ）、転送を開始する。
図７は本発明の画像形成装置における第３の制御例を示すフローチャートである。画像転送指示受信時（Ｓ１でＹ）、転送先の外部記憶装置７２が故障中かを判定し（Ｓ２）、故障中の場合は、外部記憶装置７２の故障中状態を操作部３０に表示し（Ｓ３）、外部記憶装置７２の交換を促す表示を行う（Ｓ４）。転送先の外部記憶装置７２が正常の場合には（Ｓ２でＮ）、画像情報の転送を開始する（Ｓ５）。
図８は本発明の画像形成装置における第４の制御例を示すフローチャートである。画像転送指示受信し（Ｓ１でＹ）、外部記憶装置７２が故障中であるかを判定し（Ｓ２）、転送対象の外部記憶装置７２が正常の場合には、画像情報の転送処理を行う（Ｓ３）。転送対象の外部記憶装置７２が故障中である場合には（Ｓ２でＹ）、他に接続されている外部記憶装置７２があるかを判定し（Ｓ４）、正常な外部記憶装置７２が存在しない場合には（Ｓ４でＮ）、転送に失敗した旨を操作部３０に表示し（Ｓ５）、さらに外部記憶装置７２を交換する旨を操作部３０に表示する（Ｓ６）。
【図面の簡単な説明】
【００１１】
【図１】本発明の実施形態に係る画像形成装置の機能ブロック図である。
【図２】本発明の実施形態に係る画像形成装置のメカ構成図である。
【図３】図１に示す画像記憶手段の機能ブロック図である。
【図４】図１に示す操作部のレイアウト図である。
【図５】本発明の画像形成装置における第１の制御例を示すフローチャートである。
【図６】本発明の画像形成装置における第２の制御例を示すフローチャートである。
【図７】本発明の画像形成装置における第３の制御例を示すフローチャートである。
【図８】本発明の画像形成装置における第４の制御例を示すフローチャートである。
【符号の説明】
【００１２】
２０  メインコントローラ（制御手段）、３０  操作部、７２  外部記憶装置
【図１】
2007036561.tif 000003
【図２】
2007036561.tif 000004
【図３】
2007036561.tif 000005
【図４】
2007036561.tif 000006
【図５】
2007036561.tif 000007
【図６】
2007036561.tif 000008
【図７】
2007036561.tif 000009
【図８】
2007036561.tif 000010